(57)【要約】      （修正有）【課題】切口から病原菌を伝染させることを防止できる殺菌機能を有する園芸用のはさみを提供する。【解決手段】はさみは、前端に第一刃１１が設置される第一ロッド１０と、第一ロッドに相互に枢着され、交叉状態を呈し、且つその前端に第二刃２１が設置される第二ロッド２０と、第一刃の外側に連結して固設される第一管体３１を有し、第一管体内部に第一加熱素子３２が納置される第一加熱セット３０と、第二刃の外側に連結して固設される第二管体４１を有し、第二管体内部に第二加熱素子４２が納置される第二加熱セット４０とを備える。【選択図】図２
0003198749.tif 000002
【実用新案登録請求の範囲】
【請求項１】
前端に第一刃が設置される第一ロッドと、
第一ロッドと相互に枢着され、それによって交叉状態を呈し、その（即ち第二ロッドの）前端には第二刃が設置される第二ロッドと、
熱伝導性の高い金属材料で製造される第一管体を有し、且つ第一刃の外側に連結することで固設され、前記第一管体の内部には第一加熱素子が収納・位置決めされる第一加熱セットと、
熱伝導性の高い金属材料で製造される第二管体を有し、且つ第二刃の外側に連結することで固設され、前記第二管体内部には第二加熱素子が収納・位置決めされる第二加熱セットと、
を備えることを特徴とするはさみの改良。
【請求項２】
前記第一加熱素子には前記第一ロッドに固定される第一電源線が設置され、前記第二加熱素子には前記第二ロッドに固定される第二電源線が設置されることを特徴とする、請求項１記載のはさみの改良。
【考案の詳細な説明】
【技術分野】
【０００１】
本考案は、殺菌機能を有するはさみに関する。
【背景技術】
【０００２】
使用者が園芸用はさみを使用して樹木、花、野菜、果物等の植物の剪断や採集作業を行う際に、植物の剪断面にはいわゆる機械的な傷口が形成される。
【考案の概要】
【考案が解決しようとする課題】
【０００３】
しかしながら、病気に罹った植物は前記機械的な傷口から病原菌を伝染させることがあり、農作物が集団感染を引き起こし、枯死して甚大な被害を与える場合もある。
【０００４】
また、農業従事者が機械的な傷口による被害を避けるための解決方法が発案された。即ち、作業者がアルコールの入った容器を背負い、一株剪断する毎にはさみをアルコールに浸して消毒を行う方法である。然しながら、人間は忘れやすい動物であるため、はさみの消毒をよく忘れる作業者もおり、特に雇われ人員の場合、消毒を面倒に感じて故意に省くことがあり、故にこの方法は効果的ではなかった。
【０００５】
そこで、本考案者は上記の欠点が改善可能であると考え、鋭意検討を重ねた結果、合理的かつ効果的に課題を改善する本考案のさみの改良の提案に到った。
【０００６】
本考案は、このような従来の問題に鑑みてなされたものである。上記課題解決のため、本考案は、はさみの改良を提供することを主目的とする。
【課題を解決するための手段】
【０００７】
上述した課題を解決し、目的を達成するために、本考案に係るはさみの改良は、
前端に第一刃が設置される第一ロッド（rod）と、第一ロッドに相互に枢着され、それによって、交叉状態を呈し、その前端には第二刃が設置される第二ロッドと、熱伝導性の高い金属材料で製造される第一管体を有し、且つ第一刃の外側に連結することで固設され、前記第一管体の内部には第一加熱素子が収納・位置決めされる第一加熱セットと、熱伝導性の高い金属材料で製造される第二管体を有し、且つ第二刃の外側に連結することで固設され、前記第二管体内部には第二加熱素子が収納・位置決めされる第二加熱セットとを備えることを特徴とする。
【考案の効果】
【０００８】
本考案によれば、作業者が往々に消毒を忘れるという問題、及び消毒作業の効率が低いという問題を解決させる。
【図面の簡単な説明】
【０００９】
【図１】本考案の第１実施形態によるはさみの改良を示す展開図である。
【図２】本考案の第１実施形態によるはさみの改良を示す構成図である。
【図３】本考案の第１実施形態によるはさみの改良を示す外観図である。である。
【図４】図３に示す４―４の断面線に沿ってなる断面図である。
【図５】図３に示す５―５の断面線に沿ってなる断面図である。
【考案を実施するための形態】
【００１０】
以下に図面を参照して、本考案を実施するための形態について、詳細に説明する。なお、本考案は、以下に説明する実施形態に限定されるものではない。
【００１１】
＜第１実施形態＞
以下、本考案の具体的な実施形態について添付図面１から図５に基づき説明する。本考案の実施形態に係るはさみの改良は、前端に第一刃１１が設置される第一ロッド１０と、第一ロッド１０に相互に枢着され、それによって、交叉状態を呈し、その前端には第二刃２１が設置される第二ロッド２０と、ステンレス等の熱伝導性に優れた金属材料で製造される第一管体３１を有し、且つ第一刃１１の外側に連結することで固設され、前記第一管体３１内部には第一電源線３３が設置される第一加熱素子３２が定位されて納置され、前記第一電源線３３は前記第一ロッド１０の所定の位置に固定される第一加熱セット３０と、ステンレス等の熱伝導性に優れた金属材料で製造される第二管体４１を有し、且つ第二刃２１の外側に連結することで固設され、前記第二管体４１内部には第二電源線４３が設置される第二加熱素子４２が定位されて納置され、前記第二電源線４３は前記第二ロッド２０の所定の位置に固定される第二加熱セット４０とを備える。
【００１２】
使用する場合、まず電源を起動すると、第一加熱セット３０が第一管体３１を加熱し、第一管体３１により熱量が第一刃１１に伝導され、第二加熱セット４０が第二管体４１を加熱し、第二管体４１により熱量が第二刃２１に伝導され、第一刃１１及び第二刃２１がそれぞれ摂氏１５０度以上まで加熱される。これにより、作業者が剪断や採集を行う際に、高温により植物の剪断面の消毒を行い、病原菌を殺して作業効率を大幅に高め、さらに、作業者が消毒を忘れることで引き起こされる問題を回避させる。
【００１３】
上述の実施形態は本考案の技術思想及び特徴を説明するためのものにすぎず、当該技術分野を熟知する者に本考案の内容を理解させると共にこれをもって実施させることを目的とし、本考案の特許請求の範囲を限定するものではない。従って、本考案の精神を逸脱せずに行う各種の同様の効果をもつ改良又は変更は、後述の請求項に含まれるものとする。
【符号の説明】
【００１４】
１０  第一ロッド
１１  第一刃
２０  第二ロッド
２１  第二刃
３０  第一加熱セット
３１  第一管体
３２  第一加熱素子
３３  第一電源線
４０  第二加熱セット
４１  第二管体
４２  第二加熱素子
４３  第二電源線
【図１】
0003198749.tif 000003
【図２】
0003198749.tif 000004
【図３】
0003198749.tif 000005
【図４】
0003198749.tif 000006
【図５】
0003198749.tif 000007
【手続補正書】
【提出日】平成27年5月15日(2015.5.15)
【手続補正１】
【補正対象書類名】実用新案登録請求の範囲
【補正対象項目名】全文
【補正方法】変更
【補正の内容】
【実用新案登録請求の範囲】
【請求項１】
前端に第一刃が設置される第一ロッドと、
第一ロッドと相互に枢着され、それによって交叉状態を呈し、その（即ち第二ロッドの）前端には第二刃が設置される第二ロッドと、
熱伝導性の高い金属材料で製造される第一管体を有し、且つ第一刃の外側に連結することで固設され、前記第一管体の内部には第一加熱素子が収納・位置決めされる第一加熱セットと、
熱伝導性の高い金属材料で製造される第二管体を有し、且つ第二刃の外側に連結することで固設され、前記第二管体内部には第二加熱素子が収納・位置決めされる第二加熱セットと、
を備えることを特徴とするはさみ。
【請求項２】
前記第一加熱素子には前記第一ロッドに固定される第一電源線が設置され、前記第二加熱素子には前記第二ロッドに固定される第二電源線が設置されることを特徴とする、請求項１記載のはさみ。